(57)【要約】【課題】駅メロディの変更を容易にする。【解決手段】放送設備で放送される駅メロディと、各駅メロディが放送される放送期間とを対応づけて駅メロディ記憶部に記憶し、駅メロディ記憶部を参照し、駅メロディを前記放送期間に放送する。【選択図】図１
2013090163.tif 000002
【特許請求の範囲】
【請求項１】
放送設備で放送される駅メロディと、前記駅メロディが放送される放送期間とを対応づけて記憶する駅メロディ記憶部と、
前記駅メロディ記憶部を参照し、前記駅メロディを前記放送期間に放送する駅メロディ出力部と、
を備える駅メロディ放送システム。
【請求項２】
放送設備で放送される少なくとも１つの駅メロディと、各駅メロディが放送される放送期間とを対応づけて記憶する駅メロディ記憶部と、
前記駅メロディ記憶部に記憶されている駅メロディが前記放送期間内に前記放送設備で放送されるように、該駅メロディを該放送設備に出力する駅メロディ出力部と、
を備える駅メロディ放送システム。
【請求項３】
駅の識別情報と、該駅内の放送設備で放送される少なくとも１つの駅メロディと、各駅メロディが放送される放送期間とを対応づけて記憶する駅メロディ記憶部と、
前記駅メロディ記憶部に記憶されている、前記駅メロディ及び前記放送期間を、該駅メロディと対応づけられた駅において駅メロディを放送する駅メロディ放送システムに対して配信する駅メロディ配信部と、
を備える駅メロディ管理システム。
【請求項４】
請求項３に記載の駅メロディ管理システムであって、
前記駅メロディ記憶部には、さらに、各駅の前記放送設備における駅メロディの再生可否を示す設備情報が記憶されており、
前記駅メロディ配信部は、前記設備情報に基づいて、駅メロディを再生可能な放送設備を有する駅の前記駅メロディ放送システムに対して、前記駅メロディ及び前記放送期間を配信する、
駅メロディ管理システム。
【請求項５】
請求項３または４に記載の駅メロディ管理システムであって、
前記駅メロディ記憶部には、さらに、駅メロディの放送を駅に依頼する依頼者を示す依頼者情報が記憶されており、
前記依頼者情報に基づいて、各駅において駅メロディを放送することにより支払いが必要となる著作権使用料を依頼者ごとに算出する使用料算出部をさらに備える、
駅メロディ管理システム。
【請求項６】
請求項５に記載の駅メロディ管理システムであって、
前記使用料算出部は、所定期間における依頼者ごとの放送期間に基づいて、依頼者ごとの著作権使用料を算出する、
駅メロディ管理システム。
【請求項７】
請求項５または６に記載の駅メロディ管理システムであって、
前記駅メロディ記憶部には、さらに、各駅における駅メロディの放送が行われる場所の面積を示す面積情報が記憶されており、
前記使用料算出部は、各駅において駅メロディを放送することにより支払いが必要となる著作権使用料を、前記面積情報に基づいて算出する、
駅メロディ管理システム。
【請求項８】
コンピュータが、
放送設備で放送される駅メロディと、前記駅メロディが放送される放送期間とを対応づけて駅メロディ記憶部に記憶し、
前記駅メロディ記憶部を参照し、前記駅メロディを前記放送期間に放送する、
駅メロディ放送方法。
【請求項９】
コンピュータが、
放送設備で放送される少なくとも１つの駅メロディと、各駅メロディが放送される放送期間とを対応づけて駅メロディ記憶部に記憶し、
前記駅メロディ記憶部に記憶されている駅メロディが前記放送期間内に前記放送設備で放送されるように、該駅メロディを該放送設備に出力する、
駅メロディ放送方法。
【請求項１０】
コンピュータが、
駅の識別情報と、該駅内の放送設備で放送される少なくとも１つの駅メロディと、各駅メロディが放送される放送期間とを対応づけて駅メロディ記憶部に記憶し、
前記駅メロディ記憶部に記憶されている、前記駅メロディ及び前記放送期間を、該駅メロディと対応づけられた駅において駅メロディを放送する駅メロディ放送システムに対して配信する、
駅メロディ管理方法。
【発明の詳細な説明】
【技術分野】
【０００１】
本発明は、駅メロディ放送システム及び駅メロディ管理システムに関する。
【背景技術】
【０００２】
鉄道の駅では、利用者に列車が発車することを知らせるためや、ホームに列車が接近していることを知らせるためなどのために、メロディ（駅メロディ）が用いられることがある。例えば、駅の各ホームには、スピーカを含む放送設備が設置されており、列車の発車時等に駅員がスイッチを操作することにより、駅メロディが放送される。また、特許文献１には、駅構内において、メロディサーバに格納されたメロディをスピーカから再生するシステムが開示されている。
【先行技術文献】
【特許文献】
【０００３】
【特許文献１】特開２００９−５５１８７号公報
【発明の概要】
【発明が解決しようとする課題】
【０００４】
ところで、近年、駅メロディを企業広告として用いるなど、駅メロディの新しい活用方法が注目されている。例えば、ある企業の商品を宣伝するためのメロディを、ある駅の駅メロディとして用いる場合、そのメロディが使用される期間が設定されることが一般的である。そのため、その期間の開始および終了のタイミングにおいて、駅メロディの変更作業を行う必要がある。
【０００５】
しかしながら、これまでは、駅メロディが頻繁に変更されることは想定されていなかったため、駅メロディの変更タイミングは人手により管理されていたのが実情である。また、上述した特許文献１に開示されているシステムでは、駅構内において、メロディサーバに格納されたメロディをスピーカから再生することは可能であるものの、メロディの変更については何ら考慮されていない。
【０００６】
本発明はこのような事情に鑑みてなされたものであり、駅メロディの変更を容易にすることを目的とする。
【課題を解決するための手段】
【０００７】
本発明の一側面に係る駅メロディ放送システムは、放送設備で放送される駅メロディと、駅メロディが放送される放送期間とを対応づけて記憶する駅メロディ記憶部と、駅メロディ記憶部を参照し、駅メロディを放送期間に放送する駅メロディ出力部と、を備える。
【０００８】
また、本発明の他の一側面に係る駅メロディ放送システムは、放送設備で放送される少なくとも１つの駅メロディと、各駅メロディが放送される放送期間とを対応づけて記憶する駅メロディ記憶部と、駅メロディ記憶部に記憶されている駅メロディが放送期間内に放送設備で放送されるように、該駅メロディを該放送設備に出力する駅メロディ出力部と、を備える。
【０００９】
また、本発明の他の一側面に係る駅メロディ管理システムは、駅の識別情報と、該駅内の放送設備で放送される少なくとも１つの駅メロディと、各駅メロディが放送される放送期間とを対応づけて記憶する駅メロディ記憶部と、駅メロディ記憶部に記憶されている、駅メロディ及び放送期間を、該駅メロディと対応づけられた駅において駅メロディを放送する駅メロディ放送システムに対して配信する駅メロディ配信部と、を備える。
【００１０】
なお、本発明において、「部」とは、単に物理的手段を意味するものではなく、その「部」が有する機能をソフトウェアによって実現する場合も含む。また、１つの「部」や装置が有する機能が２つ以上の物理的手段や装置により実現されても、２つ以上の「部」や装置の機能が１つの物理的手段や装置により実現されてもよい。
【発明の効果】
【００１１】
本発明によれば、駅メロディの変更を容易にすることができる。
【図面の簡単な説明】
【００１２】
【図１】本発明の一実施形態である情報処理システムの構成を示す図である。
【図２】管理センターの駅メロディ記憶部に記憶される駅メロディ情報の一例を示す図である。
【図３】各駅の駅メロディ放送システムに配信される駅メロディ情報の一例を示す図である。
【図４】ホームの指定が行われていない駅メロディ情報の一例を示す図である。
【図５】駅メロディ情報が鉄道会社に配信される場合の構成例を示す図である。
【図６】管理センターの駅メロディ管理システムから鉄道会社の駅メロディ管理システムに配信される駅メロディ情報の一例
【図７】駅メロディ情報の配信処理の一例を示すフローチャートである。
【図８】駅メロディ情報の配信処理の他の一例を示すフローチャートである。
【発明を実施するための形態】
【００１３】
以下、図面を参照して本発明の実施形態について説明する。図１は、本発明の一実施形態である情報処理システムの構成を示す図である。情報処理システムは、駅メロディ管理システム１０、駅メロディ放送システム２０、及び放送設備３０を含んで構成されている。
【００１４】
駅メロディ管理システム１０は、複数の鉄道会社の複数の駅において放送される駅メロディを管理するための情報処理システムであり、駅メロディ記憶部４０、駅メロディ更新部４２、駅メロディ配信部４４、及び使用料算出部４６を含んで構成される。駅メロディ管理システム１０は、例えば、１台または複数台の情報処理装置を用いて構成される。そして、駅メロディ管理システム１０における各部は、例えば、メモリや記憶装置等の記憶領域を用いたり、記憶領域に格納されているプログラムをプロセッサが実行したりすることにより実現することができる。図１に示す例では、駅メロディ管理システム１０は、複数の鉄道会社の複数の駅において放送される駅メロディを管理するための管理センターによって運用されている。
【００１５】
駅メロディ記憶部４０は、駅と、該駅内の放送設備３０で放送される少なくとも１つの駅メロディと、各駅メロディが放送される放送期間とを対応づけて記憶するものである。図２には、駅メロディ記憶部４０に記憶される駅メロディ情報の一例が示されている。図２に示す例では、駅メロディ情報は、鉄道会社、駅、ホーム、再生可否、配信先、面積、放送期間、駅メロディ、支払要否、及び依頼者に関する情報を含んでいる。
【００１６】
鉄道会社、駅、及びホームは、駅メロディを放送する放送設備を特定するための情報である。
【００１７】
再生可否は、駅メロディ管理システム１０から配信される駅メロディを再生可能な放送設備、すなわち、駅メロディの配信に対応した放送設備が設置されているかどうかを示す設備情報である。図２に示す例では、再生可否を示す情報は、各駅に対して設定されている。なお、駅の中に、駅メロディの配信に対応した放送設備と、駅メロディの配信に対応していない放送設備とが混在する場合であれば、再生可否を示す情報は、放送設備ごとに設定することができる。
【００１８】
配信先は、駅メロディの配信先を示す情報である。駅メロディの配信先としては、鉄道会社、駅、放送設備の何れかに対して駅メロディを配信するための情報が設定される。具体的には、駅メロディ放送システム２０、放送設備３０、もしくは後述する、鉄道会社における駅メロディ管理システムを特定するための情報が設定される。配信先を示す情報としては、例えば、ＩＰアドレスやＵＲＩ（Universal Resource Identifier）などを用いることができる。なお、前述した再生可否を示す情報は、配信先を示す情報によって示すこともできる。すなわち、配信先を示す情報が設定されていれば、駅メロディを再生可能な放送設備が設置されていると判断されることとしてもよい。また、駅メロディ放送システム２０から駅メロディ管理システム１０に対して駅メロディ情報の配信要求が行われる構成においては、配信先を示す情報は無くてもよい。
【００１９】
面積は、各駅において駅メロディの放送が行われる場所の面積を示す情報である。具体的には、例えば、各駅において放送設備３０が設置されているホームの面積の合計である。なお、面積を示す情報は、ホームごとに設定されてもよい。
【００２０】
放送期間は、駅メロディが放送される期間を制御するための情報である。本実施形態では、放送期間には、日付および時間に関する情報が含まれている。なお、各放送設備における基本となる駅メロディについては、放送期間が設定されていなくてもよい。このような駅メロディは、ある放送設備に対して、他に放送期間内の駅メロディが存在しない場合に用いられる駅メロディであり、本実施形態では「基本メロディ」と称することとする。例えば、図２の例では、「ＡＢＣ鉄道」、「Ａ駅」、「１番ホーム」の放送設備に対する駅メロディとして、メロディＡ１、メロディＸ１、メロディＸ２が存在している。このうち、メロディＡ１については、放送期間が設定されていない。これは、メロディＡ１が、この放送設備における基本メロディであることを示している。
【００２１】
なお、放送期間の設定内容によって基本メロディかどうかを判別可能とするのではなく、基本メロディかどうかを示すフラグ等の情報が駅メロディと対応づけられて駅メロディ記憶部４０に記憶されていてもよい。また、基本メロディは駅メロディ記憶部４０に記憶されているのではなく、放送設備３０内の記憶領域にあらかじめ記憶されていることとしてもよい。
【００２２】
駅メロディは、放送設備３０において再生される音楽データである。駅メロディのデータ形式は、放送設備３０で再生可能な形式であれば任意である。また、駅メロディには、駅メロディの再生可能期間を示す情報が設定されていてもよい。駅メロディに再生可能期間を示す情報を設定しておくことにより、放送期間以外において駅メロディが無断で使用されることを防ぐことができる。
【００２３】
支払要否は、駅メロディの放送によって著作権料の支払いが必要であるかどうかを示す情報である。なお、本実施形態では示していないが、著作権料の支払いが必要な駅メロディについて、著作権料の支払先を示す情報が駅メロディ記憶部４０に記憶されていてもよい。
【００２４】
依頼者は、駅メロディを駅で放送することを依頼する者を示す情報である。例えば、駅メロディが広告として用いられる場合であれば、依頼者には広告主を示す情報を設定することができる。
【００２５】
図１に戻り、駅メロディ更新部４２は、ユーザからの入力や、他システムからの入力に応じて、駅メロディ記憶部４０に記憶されている駅メロディ情報を更新することができる。他システムからの入力に応じた駅メロディ情報の更新については後述する。
【００２６】
駅メロディ配信部４４は、駅メロディ記憶部４０に記憶されている駅メロディ情報に基づいて、放送設備３０で駅メロディを放送するために必要な情報を、各駅の駅メロディ放送システム２０に配信することができる。具体的には、駅メロディ配信部４４は、図２に示す駅メロディ情報に設定されている配信先に基づいて、各駅の駅メロディ放送システム２０に対して、各駅に対応づけられた駅メロディに関する情報を配信することができる。図３には、各駅の駅メロディ放送システム２０に配信される駅メロディ情報の一例が示されている。図３に示されている情報は、図２に示されている情報から、「Ａ駅」についての情報を抽出したものである。駅メロディ放送システム２０においては、鉄道会社、駅、再生可否、配信先、面積、支払要否、依頼者に関する情報については無くてもよいため、これらの情報は、駅メロディ放送システム２０に配信される駅メロディ情報の中には含まれていない。また、後述するように、駅メロディ配信部４４は、各駅に対する配信の他に、鉄道会社に対する配信を行うことも可能である。なお、駅メロディ配信部４４は、駅メロディ情報の「再生可否」が、再生可能であることを示している場合に、駅メロディ情報の配信を行うこととしてもよい。また、駅メロディ配信部４４は、駅メロディ情報に含まれる配信先を示す情報に基づいて配信を行うのではなく、駅メロディ放送システム２０、あるいは、後述する、鉄道会社の駅メロディ管理システムからの要求に応じて駅メロディ情報を配信することとしてもよい。
【００２７】
図１に戻り、使用料算出部４６は、駅メロディ記憶部４０に記憶されている駅メロディ情報に基づいて、依頼者に対して請求する著作権使用料を算出する。なお、駅メロディが、日本音楽著作権協会において管理されている著作物である場合、著作権使用料は、利用される駅メロディの数や利用回数等は関係なく、駅メロディの放送が行われる場所であるホームの面積によって決定されることとなっている。そこで、使用料算出部４６は、例えば、駅メロディ情報に含まれるホームの面積を示す情報に基づいて各駅における著作権使用料を算出したうえで、著作権料の支払いが必要な駅メロディの放送を依頼している各依頼者が負担する著作権使用料を算出することができる。具体的には、使用料算出部４６は、例えば、各駅での著作権使用料を、駅メロディの放送期間の割合に応じて按分することにより、各依頼者の負担額を算出することができる。
【００２８】
例えば、図２に示す駅メロディ情報の場合、Ａ駅のホームの面積は５，０００ｍ2となっている。ここで、この面積に応じた著作権使用料が、年間で２０，０００円であるとする。そして、図２に示す駅メロディ情報を見ると、各依頼者から依頼された駅メロディの放送期間は、Ａ食品が１か月、Ｂ電機が１か月、Ｃ飲料が３か月となっている。そこで、使用料算出部４６は、例えば、年間の著作権使用料である２０，０００円を、放送期間の割合に応じて按分することにより、各依頼者の負担額を、Ａ食品が４，０００円、Ｂ電機が４，０００円、Ｃ飲料が１２，０００円と算出することができる。なお、ここで示した計算手法は一例であり、これに限られるものではない。例えば、放送期間の他に、駅メロディの数や放送時間、各ホームの特性（例えば利用客数等）などに応じて、各依頼者の負担額が算出されることとしてもよい。
【００２９】
また、使用料算出部４６は、著作権使用料の算出とは別に、各依頼者に請求する広告料についても算出することができる。例えば、使用料算出部４６は、依頼者ごとの駅メロディの放送期間に基づいて、広告料を算出することとしてもよい。また、駅やホームによって、広告料の単価が異なることとしてもよい。この場合、駅やホームごとの単価を示す情報が、駅メロディ情報に含まれることとしてもよい。
【００３０】
図１に戻り、駅メロディ放送システム２０は、駅構内において駅メロディの放送を制御するための情報処理システムであり、駅メロディ受信部５０、駅メロディ記憶部５２、駅メロディ選択部５４、選択情報送信部５６、及び駅メロディ出力部５８を含んで構成される。駅メロディ放送システム２０は、例えば、１台または複数台の情報処理装置を用いて構成される。そして、駅メロディ放送システム２０における各部は、例えば、メモリや記憶装置等の記憶領域を用いたり、記憶領域に格納されているプログラムをプロセッサが実行したりすることにより実現することができる。図１に示す例では、１つの駅（Ａ駅）における駅メロディ放送システム２０しか示していないが、他の駅（Ｂ駅やＣ駅）においても同様の駅メロディ放送システムが設けられている。
【００３１】
駅メロディ受信部５０は、駅メロディ管理システム１０から配信される駅メロディ情報を受信し、駅メロディ記憶部５２に格納する。
【００３２】
駅メロディ選択部５４は、駅メロディ管理システム１０から配信されてくる駅メロディ情報ではホームの指定が行われていない場合に、ユーザ入力に応じて、各駅メロディをどのホームで使用するかを選択することができる。図４には、ホームの指定が行われていない駅メロディ情報の一例が示されている。このような駅メロディ情報が駅メロディ記憶部５２に記憶されている場合、駅メロディ選択部５４は、ユーザ入力により、各駅メロディが使用されるホームを選択することができる。そして、駅メロディ選択部５４は、選択されたホームの情報を駅メロディ記憶部５２に記憶されている駅メロディ情報に追加することができる。
【００３３】
図１に戻り、選択情報送信部５６は、駅メロディ選択部５４での選択結果を示す情報である選択情報を駅メロディ管理システム１０に送信することができる。選択情報には、鉄道会社および駅を示す情報と、ホームと駅メロディとの対応関係を示す情報とが含まれる。鉄道会社および駅を示す情報は、駅メロディ管理システム１０が駅メロディ放送システム２０に駅メロディ情報を送信する際に用いられる配信先を示す情報であってもよい。駅メロディ管理システム１０の駅メロディ更新部４２は、この選択情報を受信することにより、駅メロディ記憶部４０に記憶されている駅メロディ情報を更新することができる。
【００３４】
駅メロディ出力部５８は、駅メロディ記憶部５２を参照することにより、駅メロディを放送期間に放送することができる。具体的には、例えば、駅メロディ出力部５８は、駅メロディ記憶部５２に記憶されている駅メロディ情報に基づいて、各放送設備３０に対して、放送期間に応じた駅メロディを出力することにより、駅メロディを放送期間に放送することができる。例えば、駅メロディ出力部５８は、放送設備３０での駅メロディの放送を指示する指示入力に応じて、当該放送設備３０で使用される駅メロディを駅メロディ記憶部５２から取得し、放送設備３０において駅メロディを放送することが可能な形式で、放送設備３０に出力することができる。なお、駅メロディ出力部５８は、現在日時が放送期間に含まれる駅メロディが基本メロディのみである場合には基本メロディを出力し、基本メロディ以外の駅メロディがある場合には当該駅メロディを出力することができる。また、駅メロディ出力部５８が駅メロディを出力するタイミングは、放送設備３０から指示入力を受信したタイミングには限られない。例えば、放送期間によって駅メロディの切り替えが発生するタイミングや、毎日のシステム起動時などであってもよい。すなわち、駅メロディ出力部５８は、駅メロディ情報に設定された放送期間内に放送設備３０において駅メロディが放送されるように、駅メロディを放送設備３０に出力することができる。例えば、駅メロディ出力部５８は、放送期間より前に、駅メロディを放送設備３０に対して事前に出力しておくこととしてもよい。この場合、駅メロディ出力部５８は、駅メロディに放送期間の情報を付加して放送設備３０に出力することとしてもよい。
【００３５】
また、駅メロディ出力部５８は、駅メロディ記憶部５２に記憶されている駅メロディ情報に基づいて、放送設備３０において所定の期間に出力される駅メロディに関する情報を出力することも可能である。ここで、所定の期間は、ユーザから指定されるものであってもよいし、駅メロディ放送システム２０において予め定められたものであってもよい。例えば、所定の期間が「明日」である場合、駅メロディ出力部５８は、駅メロディ記憶部５２を参照し、各放送設備３０において放送期間に明日が含まれる駅メロディを特定する。そして、駅メロディ出力部５８は、特定された駅メロディに関する情報を出力することができる。このとき、駅メロディ出力部５８は、複数の放送設備３０についての駅メロディに関する情報を出力する場合であれば、駅メロディに関する情報を放送設備に関する情報と対応づけて出力することができる。なお、駅メロディに関する情報には、例えば、駅メロディのタイトルやファイル名、タイトルなどが含まれるようにすることができる。また、駅メロディに関する情報の出力は、例えば、ディスプレイへの表示や帳票への印刷、電子メールでの送信など、様々な形態を採用することができる。このように出力される駅メロディに関する情報により、駅メロディ放送システム２０のユーザは、各放送設備３０における駅メロディの変更タイミングを把握し、各放送設備３０における駅メロディの変更作業を容易に行うことができる。なお、各放送設備３０における駅メロディの変更作業は、人手により行われてもよいし、無線または有線のネットワーク経由で行われることとしてもよい。
【００３６】
放送設備３０は、駅メロディの放送を行うための設備であり、例えば、再生装置やスピーカ、操作ボタン等を含んで構成される。なお、駅メロディ出力部５８において再生が行われる場合には、放送設備３０には再生装置は含まれなくてもよい。また、放送設備３０が再生装置を含む場合、当該再生装置が不揮発性のメモリを備え、当該メモリに駅メロディが記憶されることとしてもよい。この場合、放送設備３０は、操作ボタンによる指示入力に応じて、駅メロディ放送システム２０と通信をすることなく駅メロディを放送することができる。また、放送設備３０は、指示入力に応じて駅メロディ放送システム２０から駅メロディを取得する構成とすることも可能であるが、通信障害等によって駅メロディを取得できない場合には、メモリに記憶されている駅メロディを用いることとしてもよい。
【００３７】
また、駅メロディ出力部５８から放送設備３０に対して、放送期間より前に駅メロディが放送期間を示す情報とともに出力される構成においては、放送設備３０は、駅メロディを放送期間を示す情報とともにメモリに記憶しておくことができる。そして、放送設備３０は、駅メロディの放送を行うための指示入力に応じて、放送期間に応じた駅メロディをメモリから読み出して放送することとしてもよい。
【００３８】
図５は、駅メロディ情報が鉄道会社に配信される場合の構成例を示す図である。図５には、図１に示した構成に加えて、駅メロディ管理システム７０が示されている。駅メロディ管理システム７０は、ある鉄道会社の複数の駅において放送される駅メロディを管理するための情報処理システムであり、駅メロディ受信部８０、駅メロディ記憶部８２、駅メロディ選択部８４、選択情報送信部８６、及び駅メロディ配信部８８を含んで構成される。駅メロディ管理システム７０は、例えば、１台または複数台の情報処理装置を用いて構成される。そして、駅メロディ管理システム７０における各部は、例えば、メモリや記憶装置等の記憶領域を用いたり、記憶領域に格納されているプログラムをプロセッサが実行したりすることにより実現することができる。図５に示す例では、１つの鉄道会社における駅メロディ管理システム７０しか示していないが、他の鉄道会社においても同様の駅メロディ管理システムが設けられていてもよい。
【００３９】
駅メロディ受信部８０は、駅メロディ管理システム１０から配信される駅メロディ情報を受信し、駅メロディ記憶部８２に格納する。図６には、駅メロディ管理システム１０から駅メロディ管理システム７０に配信される駅メロディ情報の一例が示されている。図６に示すように、駅メロディ受信部８０は、鉄道会社内の複数の駅に対する駅メロディ情報を受信することができる。また、駅メロディ受信部８０が受信する駅メロディ情報は、ホームの指定が行われていない場合もある。この場合、駅メロディ管理システム７０の駅メロディ選択部８４、または、駅メロディ放送システム２０の駅メロディ選択部５４によってホームの選択が行われるようにすることができる。
【００４０】
駅メロディ選択部８４は、駅メロディ管理システム１０から配信されてくる駅メロディ情報ではホームの指定が行われていない場合に、ユーザ入力に応じて、各駅メロディをどのホームで使用するかを選択することができる。そして、駅メロディ選択部８４は、選択されたホームの情報を駅メロディ記憶部８２に記憶されている駅メロディ情報に追加することができる。また、駅メロディ選択部８４は、駅メロディ放送システム２０の選択情報送信部５６から選択情報を受信し、該選択情報に基づいて、駅メロディ記憶部８２に記憶されている駅メロディ情報を更新することも可能である。
【００４１】
選択情報送信部８６は、駅メロディ選択部８４での選択結果を示す情報である選択情報を駅メロディ管理システム１０に送信することができる。また、駅メロディ選択部８４が、駅メロディ放送システム２０から選択情報を受信した場合には、該選択情報を駅メロディ管理システム１０に送信することができる。選択情報には、鉄道会社および駅を示す情報と、ホームと駅メロディとの対応関係を示す情報とが含まれる。駅メロディ管理システム１０の駅メロディ更新部４２は、この選択情報を受信することにより、駅メロディ記憶部４０に記憶されている駅メロディ情報を更新することができる。
【００４２】
駅メロディ配信部８８は、駅メロディ記憶部８２に記憶されている駅メロディ情報に基づいて、放送設備３０で駅メロディを放送するために必要な情報を、各駅の駅メロディ放送システム２０に配信することができる。なお、各駅の駅メロディ放送システム２０への配信先を示す情報は、駅メロディ管理システム７０において管理されていることとする。また、駅メロディ配信部８８は、ホームの指定が行われていない駅メロディ情報を各駅の駅メロディ放送システム２０に配信することも可能である。また、駅メロディ配信部８８は、駅メロディ放送システム２０からの要求に応じて駅メロディ情報を配信することとしてもよい。
【００４３】
図７は、駅メロディ情報の配信処理の一例を示すフローチャートである。図７に示す例では、管理センターの駅メロディ管理システム１０から、駅の駅メロディ放送システム２０に対して駅メロディ情報の配信が行われている。
【００４４】
まず、駅メロディ管理システム１０の駅メロディ更新部４２は、例えば、ユーザからの入力に応じて、駅メロディ記憶部４０に記憶される駅メロディ情報を更新する（Ｓ７０１）。ここでは、配信先に駅が設定されている駅メロディ情報が存在することとする。駅メロディ配信部４４は、駅メロディ記憶部４０を参照し、各駅の駅メロディ放送システム２０に対して、駅メロディ情報を配信する（Ｓ７０２）。
【００４５】
駅メロディ放送システム２０の駅メロディ受信部５０は、駅メロディ管理システム１０から送信されてくる駅メロディ情報を受信し、駅メロディ記憶部５２に格納する（Ｓ７０３）。各ホームで放送する駅メロディを駅メロディ放送システム２０において選択する場合（Ｓ７０４：Ｙ）、駅メロディ選択部５４は、ユーザからの入力に応じて、各駅メロディをどのホームで使用するかを選択し、駅メロディ情報を更新する（Ｓ７０５）。そして、選択情報送信部５６は、駅メロディ選択部５４における選択結果を示す選択情報を、駅メロディ管理システム１０に送信する（Ｓ７０６）。また、駅メロディ出力部５８は、例えば、放送設備３０からの指示入力に応じて、当該放送設備３０に対する駅メロディを駅メロディ記憶部５２から取得し、放送設備３０に出力する（Ｓ７０７）。
【００４６】
駅メロディ管理システム１０の駅メロディ更新部４２は、駅メロディ放送システム２０から送信されてくる選択情報を受信し（Ｓ７０８）、選択情報に基づいて、駅メロディ記憶部４０に記憶されている駅メロディ情報を更新する（Ｓ７０９）。
【００４７】
図８は、駅メロディ情報の配信処理の他の一例を示すフローチャートである。図８に示す例では、管理センターの駅メロディ管理システム１０から、鉄道会社の駅メロディ管理システム７０を介して、駅の駅メロディ放送システム２０に対して駅メロディ情報の配信が行われている。
【００４８】
まず、駅メロディ管理システム１０の駅メロディ更新部４２は、例えば、ユーザからの入力に応じて、駅メロディ記憶部４０に記憶される駅メロディ情報を更新する（Ｓ８０１）。ここでは、配信先に鉄道会社が設定されている駅メロディ情報が存在することとする。駅メロディ配信部４４は、駅メロディ記憶部４０を参照し、各鉄道会社の駅メロディ管理システム７０に対して、駅メロディ情報を配信する（Ｓ８０２）。
【００４９】
駅メロディ管理システム７０の駅メロディ受信部８０は、駅メロディ管理システム１０から送信されてくる駅メロディ情報を受信し、駅メロディ記憶部８２に格納する（Ｓ８０３）。各駅の各ホームで放送する駅メロディを駅メロディ管理システム７０において選択する場合（Ｓ８０４：Ｙ）、駅メロディ選択部８４は、ユーザからの入力に応じて、各駅メロディを各駅のどのホームで使用するかを選択し、駅メロディ情報を更新する（Ｓ８０５）。そして、選択情報送信部８６は、駅メロディ選択部８４における選択結果を示す選択情報を、駅メロディ管理システム１０に送信する（Ｓ８０６）。また、駅メロディ配信部８８は、駅メロディ記憶部８２を参照し、各駅の駅メロディ放送システム２０に対して、駅メロディを配信する（Ｓ８０７）。
【００５０】
駅メロディ放送システム２０の駅メロディ受信部５０は、駅メロディ管理システム７０から送信されてくる駅メロディ情報を受信し、駅メロディ記憶部５２に格納する（Ｓ８０８）。各ホームで放送する駅メロディを駅メロディ放送システム２０において選択する場合（Ｓ８０９：Ｙ）、駅メロディ選択部５４は、ユーザからの入力に応じて、各駅メロディをどのホームで使用するかを選択し、駅メロディ情報を更新する（Ｓ８１０）。そして、選択情報送信部５６は、駅メロディ選択部５４における選択結果を示す選択情報を、駅メロディ管理システム７０に送信する（Ｓ８１１）。また、駅メロディ出力部５８は、例えば、放送設備３０からの指示入力に応じて、当該放送設備３０に対する駅メロディを駅メロディ記憶部５２から取得し、放送設備３０に出力する（Ｓ８１２）。
【００５１】
駅メロディ管理システム７０の駅メロディ選択部８４は、駅メロディ放送システム２０から送信されてくる選択情報を受信し（Ｓ８１３）、選択情報に基づいて、駅メロディ記憶部８２に記憶されている駅メロディ情報を更新する（Ｓ８１４）。また、選択情報送信部８６は、当該選択情報を駅メロディ管理システム１０に対して送信する（Ｓ８１５）。
【００５２】
駅メロディ管理システム１０の駅メロディ更新部４２は、駅メロディ管理システム７０から送信されてくる選択情報を受信し（Ｓ８１６）、選択情報に基づいて、駅メロディ記憶部４０に記憶されている駅メロディ情報を更新する（Ｓ８１７）。
【００５３】
なお、図７に示した処理と、図８に示した処理とは、並列的に実行することが可能である。すなわち、駅メロディ管理システム１０は、例えば、ある鉄道会社については、駅メロディ放送システム２０に駅メロディ情報を配信し、別の鉄道会社については、駅メロディ管理システム７０に駅メロディ情報を配信することが可能である。
【００５４】
以上、本実施形態について説明した。本実施形態によれば、駅メロディ放送システム２０では、駅メロディを放送する放送設備３０と、該放送設備で放送される駅メロディと、駅メロディが放送される放送期間とが対応づけられて駅メロディ記憶部５２に記憶されている。そして、駅メロディ放送システム２０では、駅メロディ出力部５８が、駅メロディ記憶部５２を参照することにより、駅メロディを放送期間に放送することができる。これにより、駅メロディの変更を容易にすることができる。
【００５５】
例えば、駅メロディ放送システム２０では、駅メロディ出力部５８が、駅メロディ記憶部５２を参照し、駅メロディが放送期間内に放送設備３０にで放送されるように、駅メロディを当該放送設備３０に出力することができる。したがって、駅メロディの変更が必要な際に、放送設備ごとに人手によって変更作業を行う必要がなく、駅メロディの変更を容易にすることができる。
【００５６】
また、駅メロディ放送システム２０では、駅メロディ出力部５８が、駅メロディ記憶部５２を参照し、放送設備３０において所定の期間に出力される駅メロディに関する情報を出力することができる。そのため、駅メロディ放送システム２０のユーザは、どの放送設備３０においてどの駅メロディがいつから使用されるのかを把握することが可能となる。このような構成によっても、駅メロディの変更を容易にすることができる。
【００５７】
また、本実施形態によれば、駅メロディ管理システム１０では、駅と、駅内の放送設備３０で放送される駅メロディと、各駅メロディが放送される放送期間とが対応づけられて駅メロディ記憶部４０に記憶されている。そして、駅メロディ管理システム１０では、駅メロディ配信部４４が、駅メロディ記憶部４０を参照し、駅メロディ及び放送期間を、当該駅メロディと対応づけられた駅の駅メロディ放送システム２０に配信することができる。これによっても、駅メロディの変更を容易にすることができる。駅メロディ管理システム７０においても同様である。
【００５８】
また、本実施形態によれば、駅メロディ記憶部４０に記憶される駅メロディ情報には、駅メロディの再生可否を示す情報が含まれている。これにより、駅メロディの配信制御を行うことが可能であるとともに、どの駅にどのような配信設備が設置されているかを把握することができる。駅メロディ管理システム７０においても同様である。
【００５９】
また、本実施形態によれば、駅メロディ管理システム１０では、使用料算出部４６が、駅メロディ記憶部４０に記憶されている駅メロディ情報に基づいて、各駅において駅メロディを放送することにより支払いが必要となる著作権使用料や広告料を依頼者ごとに算出することができる。これにより、例えば、駅メロディを広告として利用する新たな広告スキームを構築することができる。具体的には、例えば、広告主である依頼者から著作権使用料や広告料を徴収し、広告会社や鉄道会社に利益配分することができる。また、依頼者ごとの著作権使用料の算出にあたっては、依頼者ごとの放送期間や、駅メロディの放送が行われる場所の面積等を考慮することにより、より適切に、依頼者ごとの著作権使用料を算出することが可能となる。
【００６０】
なお、本実施形態は、本発明の理解を容易にするためのものであり、本発明を限定して解釈するためのものではない。本発明は、その趣旨を逸脱することなく、変更／改良され得るととともに、本発明にはその等価物も含まれる。
【００６１】
例えば、本実施形態においては、放送設備３０が駅メロディ放送システム２０の外部に設けられた構成としているが、放送設備３０は、駅メロディ放送システム２０の構成要素として駅メロディ放送システム２０に含まれていてもよい。
【符号の説明】
【００６２】
１０  駅メロディ管理システム
２０  駅メロディ放送システム
３０  放送設備
４０  駅メロディ記憶部
４２  駅メロディ更新部
４４  駅メロディ配信部
４６  使用料算出部
５０  駅メロディ受信部
５２  駅メロディ記憶部
５４  駅メロディ選択部
５６  選択情報送信部
５８  駅メロディ出力部
７０  駅メロディ管理システム
８０  駅メロディ受信部
８２  駅メロディ記憶部
８４  駅メロディ選択部
８６  選択情報送信部
８８  駅メロディ配信部
【図１】
2013090163.tif 000003
【図２】
2013090163.tif 000004
【図３】
2013090163.tif 000005
【図４】
2013090163.tif 000006
【図５】
2013090163.tif 000007
【図６】
2013090163.tif 000008
【図７】
2013090163.tif 000009
【図８】
2013090163.tif 000010